(57)【要約】  【課題】  高価な製剤などの内容物が充填される５ｇチューブ容器や１０ｇチューブ容器などの比較的小径のアルミチューブ容器において、内容物を絞り出していくときに内容物の残量ができるだけ少なくなるようにする。  【解決手段】  内容物を押し出すために径方向に押し潰し可能な円筒状胴部２と、胴部２の上端部に設けられた円錐状肩部３と、肩部３の上端部に設けられ且つ胴部２よりも小径の円筒状口部４とを一体に有し、胴部２の外周面の直径が１０．０〜１９．５ｍｍ、胴部２の肉厚が０．０９〜０．１８ｍｍ、肩部３の円錐形状の中心角が１００°〜１５０°である小径のアルミチューブ容器１において、肩部３の肉厚を薄肉に成形することによって肩部３の周縁部を人の指の力で胴部２側に折り込み可能に構成する。【選択図】  図４
2018127253.tif 000002
【特許請求の範囲】
【請求項１】
内容物を押し出すために径方向に押し潰し可能な円筒状胴部と、該胴部の上端部に設けられた円錐状肩部と、該肩部の上端部に設けられ且つ前記胴部よりも小径の円筒状口部とを一体に有し、前記胴部の外周面の直径が１０．０〜１９．５ｍｍ、前記胴部の肉厚が０．０９〜０．１８ｍｍ、前記肩部の円錐形状の中心角が１００°〜１５０°である金属製チューブ容器において、前記肩部の周縁部を人の指の力で前記胴部側に折り込み可能に構成したことを特徴とする金属製チューブ容器。
【請求項２】
請求項１に記載の金属製チューブ容器において、前記肩部を０．３ｍｍ未満の略均一肉厚とすることにより前記肩部の周縁部を人の指の力で前記胴部側に折り込み可能に構成したことを特徴とする金属製チューブ容器。
【請求項３】
請求項１に記載の金属製チューブ容器において、前記肩部の断面形状を、前記口部側から前記胴部側に至るにしたがって徐々に厚肉となるテーパー状とし、且つ、前記口部側の最小肉厚を０．１０ｍｍ〜０．２０ｍｍ、前記胴部側の最大肉厚を０．４ｍｍ以下とすることにより、前記肩部の周縁部を人の指の力で前記胴部側に折り込み可能に構成したことを特徴とする金属製チューブ容器。
【請求項４】
請求項１に記載の金属製チューブ容器において、前記肩部の外周面及び／又は内周面に、放射方向に延びる凹部が周方向に複数設けられ、前記凹部の底部における前記肩部の肉厚を０．１０ｍｍ〜０．２０ｍｍとすることにより、前記肩部の周縁部を人の指の力で前記胴部側に折り込み可能に構成したことを特徴とする金属製チューブ容器。
【請求項５】
請求項１に記載の金属製チューブ容器において、前記肩部の外周面及び／又は内周面の稜線が湾曲することで前記肩部の稜線方向中央部の肉厚が最も薄肉となされており、該稜線方向中央部の前記肩部の肉厚は０．１０ｍｍ〜０．２０ｍｍとされ、これにより前記肩部の周縁部を人の指の力で前記胴部側に折り込み可能に構成したことを特徴とする金属製チューブ容器。
【請求項６】
請求項１〜５のいずれかに記載の金属製チューブ容器から内容物を抽出する方法であって、
前記胴部の上端部近傍を直径方向両側から押しつぶす（以下、胴部を押しつぶす方向を「前後方向」という。）ことによって前記胴部の上端部近傍を略平坦とするステップと、
前記肩部の周縁部のうち前後方向両側部を前記胴部側に折り込むステップと、
前記胴部の上端部近傍の部分が前記肩部の内面に沿うように前記胴部の上端部近傍を前後方向の一側部から前記肩部内面に向けて押し込むステップと、
前記肩部の周縁部のうち左右両側部を胴部側に折り込むステップとを有し、
これにより肩部の周縁部の前後左右の側部の内側に存在する内容物をそこから押し出すことを特徴とする金属製チューブ容器から内容物を抽出する方法。
【発明の詳細な説明】
【技術分野】
【０００１】
本発明は、アルミチューブ容器などの金属製チューブ容器に関する。また、本発明は、金属製チューブ容器から内容物を抽出する方法に関する。
【背景技術】
【０００２】
アルミチューブ容器は、低コストで製造可能でありながらも、ガスバリア性、光遮断性、並びに、耐薬品性に優れるものであるため、軟膏、クリーム及びゲル状の医薬品用の容器として広く用いられている。薬価の高い医薬品は比較的小さい５ｇチューブ容器や１０ｇチューブ容器に収容され、この５ｇチューブ容器の胴部の直径は一般的に１２．５〜１５．０ｍｍとなされ、１０ｇチューブ容器の胴部の直径は一般的に１７ｍｍ程度となされている。胴部の上端部には円錐状の肩部が連設され、さらに肩部の上端部に円筒状の口部が連設されている。口部外周には、通常、キャップを螺着するためのネジ山が転造によって設けられる。ネジ山の成形性や、ネジ山成形後のキャップ保持のための剛性確保のため、口部肉厚は比較的大きく、例えばネジ山の谷部における肉厚で２ｍｍ以上確保されてる。５ｇチューブの場合、口部の開口径は約４．５ｍｍ、ネジ山の山径は約８ｍｍ程度とされている。
【０００３】
胴部を直径方向両側から押し潰すことによって内容物を吐出可能とするために、胴部の肉厚は０．０９〜０．１８ｍｍ程度となされている。
【０００４】
一方、従来のアルミチューブ容器では、肩部の肉厚は約０．６ｍｍ程度とされ、これにより人の指の力では容易に変形しない程度の剛性が付与されていた。
【０００５】
このようなアルミチューブ容器においては、従来より、肩部の内面付近に内容物が残存してしまい、特に、高価な医薬品の場合に苦情の対象となることがあった。例えば、製剤薬局において、５ｇチューブ容器に充填されて販売される医薬品を容器からすべて抽出して、それに他の医薬品を調合する場合があり、その場合、５ｇチューブ容器から抽出された医薬品の質量を計量器を用いて正確に計量するが、従来のチューブ容器の場合、薬剤師が頑張って絞り出しても抽出された医薬品の質量が５ｇに満たないことが多く、薬局業界から医薬品メーカに対する苦情となることがある。したがって、苦情回避のために、医薬品メーカは、５ｇチューブ容器への医薬品の充填量を５％程度多めにして５．２５ｇ充填しておくという対応を行うこともあり、かかる苦情対策コストは、医薬品の価格や販売数量にもよるが、１ｇあたりの製造原価が１０円、販売数量３０００万本とすると、約１億円程度を要する。
【０００６】
かかる問題に対処するため、下記の特許文献１に記載のチューブ容器においては、肩部の直下付近の胴部に薄肉部を形成し、肩部と胴部の交点の外周面のアールを０．３ｍｍ〜２．０ｍｍに形成するとともに、肩部の肉厚を０．３〜０．８ｍｍに形成した金属製チューブ容器が開示されている。但し、特許文献１に記載のチューブ容器は、胴部肉厚が０．８〜１．０ｍｍ、薄肉部の肉厚が胴部肉厚に対して４０〜８０％（すなわち、０．３２ｍｍ〜０．８ｍｍ）というものであり、５ｇチューブ容器のような小径の容器の場合に上記のような肉厚の胴部とすると押し潰し変形できなくなるため、胴部直径が少なくとも２０ｍｍを超える大型のチューブ容器を想定しているものと推察される。
【先行技術文献】
【特許文献】
【０００７】
【特許文献１】特許第３９９４４１５号公報
【発明の概要】
【発明が解決しようとする課題】
【０００８】
上記特許文献１に記載されたチューブ容器によれば、肩部と胴部の交点の外周面にアールを設けることによって薄肉部に亀裂が生じることを防止できるとともに、肩部の肉厚を薄くすることにより内容物を押し出す際に肩部が湾曲変形するようになり、これにより薄肉部の一部に集中的に荷重がかかることを防止して、薄肉部の亀裂発生を一層防止できると記載されている。
【０００９】
しかしながら、上記特許文献１に記載の技術は、上述したように、胴部直径が少なくとも２０ｍｍを超える大型のチューブ容器を想定したものであり、５ｇチューブ容器や１０ｇチューブ容器のような小径のチューブ容器に適用しても、内容物の残量を低減することは困難であった。また、肩部は一般的に中心角１２０°程度の円錐状に形成されるところ、胴部直径が小さくなるほど肩部の周方向の曲率が大きくなり、これにより曲げに対する剛性が大きくなるため、上記特許文献１に記載の大径チューブ容器の場合には肩部肉厚を０．３〜０．８ｍｍとすることで曲げ易くなるが、５ｇチューブ容器や１０ｇチューブ容器などの小径チューブ容器の場合には上記肉厚の範囲では曲げ難いことも多く、さらに、単に肩部を湾曲変形させるのみでは肩部の内側に内容物が残存してしまう。
【００１０】
そこで、本発明は、高価な製剤などの内容物が充填される５ｇチューブ容器や１０ｇチューブ容器などの比較的小径の金属製チューブ容器において、内容物を絞り出していくときに内容物の残量ができるだけ少なくなるようにすることを目的とする。
【課題を解決するための手段】
【００１１】
本発明は、上記課題を解決するために、次の技術的手段を講じた。
【００１２】
すなわち、本発明の金属製チューブ容器は、内容物を押し出すために径方向に押し潰し可能な円筒状胴部と、該胴部の上端部に設けられた円錐状肩部と、該肩部の上端部に設けられ且つ前記胴部よりも小径の円筒状口部とを一体に有し、前記胴部の外周面の直径が１０．０〜１９．５ｍｍ、前記胴部の肉厚が０．０９〜０．１８ｍｍ、前記肩部の円錐形状の中心角が１００°〜１５０°であり、前記肩部の周縁部を人の指の力で前記胴部側に折り込み可能に構成されている。
【００１３】
なお、胴部肉厚が０．０９ｍｍより薄くなると胴部が柔らかすぎて内容物充填工程におけるチューブ容器の取り扱い性が悪くなり、一方、０．１８ｍｍより厚くなると胴部の変形性（内容物の取出し性）が悪くなる。また、肩部中心角が１００°未満になると肩部の周方向の曲率が大きくなって肩部の変形性が悪くなるとともに肩部の軸長が大きくなって肩部内に内容物が残存し易くなり、一方、１５０°を超えると肩部形状が平坦になりすぎて衝撃押出成形時の材料流れが悪くなり、衝撃押出法による量産が困難となる。また、より好ましくは、肩部の周縁部を、該周縁部近傍の胴部の上端側周縁部と重合した状態で胴部側に折り込み可能とすることができる。
【００１４】
かかる本発明の金属製チューブ容器によれば、胴部の外周面の直径が１０．０〜１９．５ｍｍ、胴部の肉厚が０．０９〜０．１８ｍｍ、肩部の外周面及び内周面の円錐形状の中心角が１００°〜１５０°である小径の金属製チューブ容器の肩部の周縁部を、湾曲変形ではなく、胴部側に折り込むよう変形させることにより、肩部の周縁部の内側の空間を押し潰して、そこに残存する内容物をそこから押し出すことができ、小径チューブ容器における内容物の残量をできるだけ少なくすることができる。
【００１５】
上記本発明は、５ｇチューブ容器、すなわち胴部外周面の直径が１２．５〜１５．０ｍｍのチューブ容器において特に好適に実施可能であり、１０ｇチューブ容器（胴部直径が１５．０ｍｍ〜１９．５ｍｍのチューブ容器）に適用することもできる。より好ましくは、肩部中心角は１１５°〜１２５°であってよい。また、本発明は、特にアルミチューブ容器に適用することが好ましく、その他、アルミニウムと同等の変形性を有する他の金属製チューブ容器に適用することもできる。
【００１６】
本願出願人は、小径のアルミチューブ容器において肩部周縁部を胴部側に折り込み可能で且つ従来と同様の衝撃押出法により成形可能な構造を鋭意研究した。下記の表１〜表４は、胴部直径１３．８ｍｍ、胴部肉厚０．１２ｍｍ、口部外径８ｍｍ、口部内径４．５ｍｍ、肩部中心角１２０°の５ｇアルミチューブ容器において、肩部肉厚を０．２ｍｍ（表１）、０．３ｍｍ（表２）、０．４ｍｍ（表３）及び０．５ｍｍ（表４）の均一に成形し、内部にクリーム状の内容物を充填して、手作業で内容物を抽出した後の内容物残量の計測試験結果である。なお、各肉厚毎に１２サンプルについて試験を実施した。また、図１は、各肉厚毎の平均残量を示すグラフである。
【００１７】
【表１】
2018127253.tif 000003
【００１８】
【表２】
2018127253.tif 000004
【００１９】
【表３】
2018127253.tif 000005
【００２０】
【表４】
2018127253.tif 000006
【００２１】
これら表１〜表４及び図１に示されるように、肩部肉厚が薄くなるほど内容物の残量は低減し、特に、上記５ｇチューブ容器の場合では、肩部肉厚が０．５ｍｍの場合は、図２の左側に示すように、肩部の周縁部を胴部側に折り込むように変形させることはできず、指で強く押し込んでも若干湾曲する程度であった。肩部肉厚が０．４ｍｍになると肩部周縁部の変形の仕方が「湾曲」から「屈曲」のような状態となり、肩部肉厚が０．３ｍｍ及び０．２ｍｍの場合は図２の右側に示すように肩部周縁部を裏面側に折り込めるようになった。なお、男性と女性との間に有意な差は現われず、肩部周縁部の折り込み方の巧拙が残量に影響しているものと考えられる。
【００２２】
以上の結果より、小径の金属製チューブ容器で肩部を略均一肉厚に成形する場合には、肩部肉厚を０．３ｍｍ未満とすることにより、肩部の周縁部を人の指の力で胴部側に折り込み可能となり、肩部周縁部の内側の空間を潰してそこに残存する内容物を押し出すことが可能となると考えられる。なお、肩部を０．１ｍｍ程度の均一肉厚に成形することも検討したが、衝撃押出成形時の材料流れが悪く、押出ロッドに生じる軸力が過大となって押出ロッドが撓み、これにより量産時の加工精度並びに成形機の耐久性に問題が生じるおそれがあるため、肩部を均一肉厚に成形する場合には肩部肉厚を０．２ｍｍ以上とすることが好ましい。
【００２３】
さらに、本願発明者らは、肩部肉厚の最薄部で０．１ｍｍ程度まで薄肉化しつつ衝撃押出法により成形可能な構成について鋭意研究を行ったところ、前記肩部の断面形状を、前記口部側から前記胴部側に至るにしたがって徐々に厚肉となるテーパー状とすることにより、肩部の口部側の最小肉厚を０．１０ｍｍ〜０．２０ｍｍまで薄肉化しても、衝撃押出法により成形可能となることを見出した。上記試験結果によって折り曲げ線の部分の肉厚が０．３ｍｍ未満であれば肩部周縁部を裏面側に折り込み可能になることが判明しているので、肩部断面形状をテーパー状とする場合には、肩部の胴部側の最大肉厚は０．４ｍｍ以下（好ましくは０．３ｍｍ以上）であれば良いと考えられる。かかる構成によって、肩部の周縁部を人の指の力で胴部側に折り込み可能に構成できる。
【００２４】
また、別の態様において、肩部の外周面及び／又は内周面に、放射方向に延びる凹部を周方向に複数設け、前記凹部の底部における肩部の肉厚を０．１０ｍｍ〜０．２０ｍｍとすることにより、肩部の周縁部を人の指の力で胴部側に折り込み可能に構成することもできる。すなわち、肩部の厚肉部分（前記凹部が設けられていない部分）が周方向に所定角度以上連続しないようにすることで、湾曲面構造によって剛性が生じることを阻止し、これにより肩部を裏面側に折り込み可能にすることができるとともに、衝撃押出成形時に厚肉部分によって材料の流動性が確保され、衝撃押出成形により量産可能となる。肩部の厚肉部分の肉厚は０．４ｍｍ以下とすることが好ましいが、肩部の各厚肉部分の周方向幅によっては従来と同様の０．６ｍｍ程度であってもよい。
【００２５】
さらに別の態様においては、前記肩部の外周面及び／又は内周面の稜線が湾曲することで前記肩部の稜線方向中央部の肉厚が最も薄肉となされており、該稜線方向中央部の前記肩部の肉厚は０．１０ｍｍ〜０．２０ｍｍとされ、これにより前記肩部の周縁部を人の指の力で前記胴部側に折り込み可能に構成することもできる。この場合、肩部の口部側及び胴部側の端部付近の肉厚は０．４ｍｍ以下とすることが好ましいが、０．６ｍｍ程度であってもよい。
【００２６】
上記本発明の金属製チューブ容器から内容物を抽出する好適な方法は、下記の（１）〜（４）のステップを有し、これにより肩部の周縁部の前後左右の側部の内側に存在する内容物をそこから押し出すことが好ましい。
（１）前記胴部の上端部近傍を直径方向両側から押しつぶす（以下、胴部を押しつぶす方向を「前後方向」という。）ことによって前記胴部の上端部近傍を略平坦とするステップ。
（２）前記肩部の周縁部のうち前後方向両側部を前記胴部側に折り込むステップ。
（３）前記胴部の上端部近傍の部分が前記肩部の内面に沿うように前記胴部の上端部近傍を前後方向の一側部から前記肩部内面に向けて押し込むステップ。
（４）前記肩部の周縁部のうち左右両側部を胴部側に折り込むステップ。
【発明の効果】
【００２７】
本発明によれば、高価な製剤などの内容物が充填される５ｇチューブ容器や１０ｇチューブ容器などの比較的小径の金属製チューブ容器において、内容物を絞り出していくときに、肩部周縁部を胴部側に折り込むことによって内容物の残量をできるだけ少なくすることができる。
【図面の簡単な説明】
【００２８】
【図１】内容物抽出試験結果を示すグラフである。
【図２】肩部肉厚が０．５ｍｍと０．３ｍｍのそれぞれの肩部の変形状態を示す斜視図である。
【図３】均一肉厚の肩部を有する本発明の第１実施形態に係るアルミチューブ容器の要部拡大断面図である。
【図４】同チューブ容器の肩部周縁部のうちの一側部を胴部側に折り込んだ状態を示す要部拡大断面図である。
【図５】同チューブ容器から内容物を抽出する方法の第１のステップを示す正面図及び側面図である。
【図６】同方法の第２のステップを示す斜視図である。
【図７】同方法の第３のステップを示す平面図及び底面図である。
【図８】同方法の第４のステップを示す平面図及び背面側から視た斜視図である。
【図９】本発明の第２実施形態に係るアルミチューブ容器の要部拡大断面図である。
【図１０】同チューブ容器を成形するための衝撃押出成形装置の断面図である。
【図１１】本発明の第３実施形態に係るアルミチューブ容器の要部拡大断面図である。
【図１２】本発明の第４実施形態に係るアルミチューブ容器の要部拡大断面図である。
【図１３】本発明の第５実施形態に係るアルミチューブ容器の要部拡大側面図である。
【発明を実施するための形態】
【００２９】
以下、本発明の好適な実施の形態を図面に基づいて説明する。
【００３０】
〔第１実施形態〕
図３は、本発明の第１実施形態に係るアルミニウム製の５ｇチューブ容器１を示し、該容器１は、内部にクリーム状製剤などの内容物が充填される円筒状胴部２と、胴部２の上端部に連設された円錐状肩部３と、肩部３の上端部に連設され且つ胴部２よりも小径の円筒状口部４とを一体に有している。口部４は容易に破断可能な封止膜５が一体成形され、この封止膜５によって口部４が封止されている。胴部２に内容物が充填された後、胴部の裾部（下端部）が折り締められて内容物が密封される。
【００３１】
なお、本実施形態のチューブ容器１は、従来公知の衝撃押出法によって製造でき、衝撃押出成形後に口部４の外周にネジ山を転造によって成形することができる。
【００３２】
胴部２は、外周面の直径が１２．５〜１５．０ｍｍとされ、かかる小径の胴部２において内容物を押し出すために径方向に押し潰し可能とするために、胴部２の肉厚は０．０９〜０．１８ｍｍ、より好ましくは０．１５ｍｍ以下とされている。また、肩部３の円錐形状の中心角θは１００°〜１５０°、より好ましくは１１０°〜１３０°、より好ましくは１１５°〜１２５°とされている。
【００３３】
本実施形態では、肩部３は、０．３ｍｍ未満の略均一な肉厚に成形されており、好ましくは０．２ｍｍ以上の肉厚とすることができ、これにより健常な成人であれば親指や人差し指などの手の指の力で肩部３の周縁部を胴部側へ折り込み可能な変形容易性を肩部３に付与している。また、口部４と肩部３の接続部分の外周部にはＲを設けないことが好ましく、これにより、口部４を胴部２側に押し込むように変形させることも、口部４を胴部２から遠ざけるように変形させることも容易となっている。
【００３４】
５ｇチューブ容器１の肩部３の肉厚を０．３ｍｍ未満に薄肉化したことにより、図４に示すように、肩部３の周縁部のうちの周方向の任意の側部を、該側部に接続する胴部２の上端部近傍に重合させた状態で、該胴部上端部とともに胴部側に折り込むことが可能である。また、上記折り込み時に、口部４を胴部２側に押し込むことで、肩部３の円錐形状の中心角が広がって該肩部３を若干平坦に変形させると、肩部周縁部の裏面側への折り込みを一層容易に行えるようになる。
【００３５】
図５〜図８は、本実施形態のチューブ容器から内容物を抽出する方法を示しており、特に肩部の内部の空間の内容物をそこから押し出すための方法を示している。なお、図示例では、例えば薬剤師が内容物を抽出する際に胴部の裾部を開いて裾部側から内容物を一度にすべて抽出するための方法を示しているが、口部を開口させて内容物を徐々に抽出していく場合にも同様の方法で肩部を変形させることができる。
【００３６】
肩部の内部の空間の内容物を押し出すには、図５に示すように、胴部の上端部近傍を直径方向両側から押しつぶす（以下、胴部を押しつぶす方向を「前後方向」という。）ことによって胴部の上端部近傍を略平坦とする。
【００３７】
次に、図６に示すように、肩部の周縁部のうち前後方向両側部を胴部側に折り込む。
【００３８】
次に、図７に示すように、胴部の上端部近傍の部分が肩部の内面に沿うように胴部をその上端部において肩部に対して折り曲げて、胴部の上端部近傍を前後方向の一側部から肩部内面に向けて押し込む。
【００３９】
そして、図８に示すように、肩部の周縁部のうち左右両側部を胴部側に折り込む。
【００４０】
これにより、肩部の周縁部の前後左右の側部の内側に存在する内容物をそこから押し出すことができ、その後胴部をしっかりと押し潰していくことによって内容物を抽出できる。
【００４１】
〔第２実施形態〕
図９は本発明の第２実施形態に係るアルミニウム製の５ｇチューブ容器１を示し、上記第１実施形態と同様の構成については同符号を付して詳細説明を省略し、異なる構成について説明する。
【００４２】
本実施形態では、肩部３の断面形状が、口部側から胴部側に至るにしたがって徐々に厚肉となるテーパー状に形成されている。図示例では、肩部３の口部側の最小肉厚を０．０９ｍｍ、胴部側の最大肉厚を０．４ｍｍとし、肩部３の周縁部のうちの周方向の一側部を折り込むときの折り込み線部分の肉厚が０．３ｍｍ程度となるようにしている。なお、口部側最小肉厚は０．１０〜０．２０ｍｍの範囲で適宜設計でき、また、胴部側最大肉厚は０．２〜０．４ｍｍの範囲で設計することが好ましい。
【００４３】
本実施形態のチューブ容器１は、図１０に示す衝撃押出成形装置によって成形できる。該成形装置は、ダイベース１０及びダイリング１１により主構成されるプレスダイと、パンチシャフト１２の先端にパンチヘッド１３が取付けられてなるパンチと、エジェクターピン１４とを備えている。チューブ容器の外面形状は主としてプレスダイによって定義され、チューブ容器の内面形状は主としてパンチヘッド１３によって定義される。
【００４４】
肩部３の断面形状を上記のようなテーパー状とするべく、パンチヘッド１３の肩部内面成形部分の中心角が、ダイベース１０の肩部外面成形部分の中心角よりも僅かに小さくされており、これにより、肩部３の外周面の中心角は約１２０°、肩部３の内周面の中心角は約１１３°となるようにチューブ容器がインパクト成形される。
【００４５】
このように、肩部３の最小肉厚部分を口部４の裾部に設けることで、口部成形領域に設置されたスラグをパンチヘッド１３で衝撃押出成形する際の材料流動性が確保され、量産に適した構造としつつも肩部３の折り込み変形性を確保できる。
【００４６】
〔第３実施形態〕
図１１は本発明の第３実施形態に係るアルミチューブ容器を示し、本実施形態では、肩部の外周面の稜線が湾曲することで肩部の稜線方向中央部の肉厚が最も薄肉となされており、稜線方向中央部の肩部の肉厚は０．１０ｍｍ、口部及び胴部近傍の肩部の肉厚は０．４ｍｍ程度とされている。なお、稜線方向中央部の肩部の肉厚は、０．１０ｍｍ〜０．２０ｍｍの範囲で適宜設計できる。
【００４７】
〔第４実施形態〕
図１２は本発明の第４実施形態に係るアルミチューブ容器を示し、本実施形態では、肩部の内周面の稜線が湾曲することで肩部の稜線方向中央部の肉厚が最も薄肉となされており、稜線方向中央部の肩部の肉厚は０．１０ｍｍ、口部及び胴部近傍の肩部の肉厚は０．４ｍｍ程度とされている。なお、稜線方向中央部の肩部の肉厚は、０．１０ｍｍ〜０．２０ｍｍの範囲で適宜設計できる。
【００４８】
なお、肩部の内周面及び外周面の稜線の両方を湾曲させることも可能である。
【００４９】
〔第５実施形態〕
図１３は本発明の第５実施形態に係るアルミチューブ容器１を示しており、本実施形態では、肩部３の外周面に、放射方向全長にわたって延びる凹部６が周方向に複数設けられている。なお、図示実施形態の凹部６はなだらかな谷状に形成されている。凹部６の底部における最も薄肉の部分の肩部３の肉厚ｄ１は０．１０ｍｍ〜０．２０ｍｍ、凹部６が設けられていない最も厚肉の部分の肩部３の肉厚ｄ２は０．２〜０．６ｍｍ、より好ましくは０．３〜０．４ｍｍとすることができる。
【００５０】
なお、凹部６の数及び各凹部６の幅は、肩部３の周縁部を裏面側に折り込み変形可能な範囲で適宜設計できる。また、凹部は肩部３の内周面に設けてもよく、また、外周面と内周面の両方に設けることも可能である。
【００５１】
本発明は上記実施形態に限定されるものではなく、適宜設計変更できる。例えば、肩部周縁部の折り込み方の他の例として、軸方向から視て肩部の外縁形状が略三角形状となるように、肩部周縁部の周方向３箇所の側部をそれぞれ胴部側に折り込むこともできる。
【図１】
2018127253.tif 000007
【図２】
2018127253.tif 000008
【図３】
2018127253.tif 000009
【図４】
2018127253.tif 000010
【図５】
2018127253.tif 000011
【図６】
2018127253.tif 000012
【図７】
2018127253.tif 000013
【図８】
2018127253.tif 000014
【図９】
2018127253.tif 000015
【図１０】
2018127253.tif 000016
【図１１】
2018127253.tif 000017
【図１２】
2018127253.tif 000018
【図１３】
2018127253.tif 000019